(57)【要約】【課題】非常灯などを煙により目視できない場合にも、適切に避難誘導を行なえる避難誘導装置を提供する。【解決手段】災害報知器１０からの災害検知信号を受信すると、避難地域において避難誘導する画像ガイダンスを携帯端末４０の表示器に表示させるための画像情報を携帯端末に無線で送信する。また、画像ガイダンスに応じた音声ガイダンスを併せて携帯端末に無線で送信する。【選択図】        図１
2004252571.tif 000002
【特許請求の範囲】
【請求項１】
避難地域において避難誘導する画像ガイダンスを携帯端末の表示器に表示させるための画像情報を記憶する記憶手段と、
災害報知器からの災害検知信号を受信する受信手段と、
前記受信手段が前記災害検知信号を受信した場合に前記記憶手段に記憶された画像情報を読み出して前記携帯端末に無線で送信し、前記携帯端末の表示器に表示させる手段とを、
備えた避難誘導装置。
【請求項２】
前記画像ガイダンスに応じて避難誘導するための音声ガイダンスを併せて前記携帯端末から出力するよう構成された請求項１に記載の避難誘導装置。
【請求項３】
前記携帯端末は、無線電話回線に発信可能な携帯電話である請求項１又は２に記載の避難誘導装置。
【発明の詳細な説明】
【０００１】
【発明の属する技術分野】
本発明は、ホテル、オフィス、病院、娯楽施設などの各種建造物（以下、施設と呼ぶ）において、火災、地震などの災害が発生した際に適切に避難誘導を行なう避難誘導装置に関する。
【０００２】
【従来の技術】
従来の誘導装置としては、避難口や非常口の方向、場所を示す誘導灯、施設の壁などに設置してある施設の地図及び避難経路表示などの画像ガイダンスが挙げられる。これら画像ガイダンスは、火災、地震などの災害が発生した際、人々を避難口や非常口に誘導する目的で設置され、人々はこれら画像ガイダンスを基にして、災害時に避難口や非常口から避難することが可能になる。従来例として、例えば特許文献１に開示されている誘導装置では、災害データを検知すると誘導灯に避難データを送信することにより、適切な避難経路を誘導灯に表示する方法が提案されている。
【０００３】
【特許文献１】
特開平８−２８７３７０号公報
【０００４】
【発明が解決しようとする課題】
しかしながら、従来の誘導装置においては、火災などで煙が充満した施設内で遠方にある非常灯の位置や方向を目視することが困難な場合、非常口に避難できないという問題があった。また、このような状況の場合、壁などに施設の地図や避難経路が記載されていても、その記載されている場所まで辿り着くことが困難な場合がある。特に初めて訪れた施設では、施設の構造も理解できず、非常灯、施設の避難経路が記載されていても適切に避難できない場合が生じる。
【０００５】
本発明は、従来の問題を解決するためになされたもので、非常灯などを煙により目視できない場合にも、適切に避難誘導を行なうことのできる避難誘導装置を提供することを目的とする。
【０００６】
【課題を解決するための手段】
本発明は上記目的を達成するために、避難地域において避難誘導する画像ガイダンスを携帯端末の表示器に表示させるための画像情報を記憶する記憶手段と、
災害報知器からの災害検知信号を受信する受信手段と、
前記受信手段が前記災害検知信号を受信した場合に前記記憶手段に記憶された画像情報を読み出して前記携帯端末に無線で送信し、前記携帯端末の表示器に表示させる手段とを、
備えた構成とした。
この構成により、火災などで煙が充満した施設内で遠方にある非常灯の位置や方向を目視することが困難な場合、誘導装置から送信された画像ガイダンスを手元の携帯端末で表示することができるので、施設の地図、避難経路、現在の位置情報を手元で確認することができ、適切に避難することができる。また、初めて訪れた施設でも、地図情報、避難経路情報、位置情報を携帯端末により手元で確認することができ、適切に避難することができる。
【０００７】
本発明はまた、前記画像ガイダンスに応じて避難誘導するための音声ガイダンスを併せて前記携帯端末から出力するように構成した。
この構成により、手元の携帯端末の表示を見ることが困難な場合であっても、音声ガイダンスにより避難経路情報を聞くことができるので、適切に避難することができる。
【０００８】
本発明はまた、前記携帯端末が、無線電話回線に発信可能な携帯電話である構成とした。
この構成により、外部に対し自分の安否を連絡する際、容易に連絡をとることができる。
【０００９】
【発明の実施の形態】
＜第１の実施の形態＞
以下、図面を参照して本発明の実施の形態について説明する。図１は本発明に係る避難誘導装置の第１の実施の形態の概略を示す構成図、図２は図１の避難誘導装置の一部を詳しく示すブロック図、図３は図１の携帯端末を詳しく示すブロック図、図４〜図６は画像ガイダンスの例を示す説明図である。
【００１０】
本発明の第１の実施の形態の避難誘導装置の概略について図１を参照して説明する。図１において、災害報知器１０は通常、ホテル、オフィスなどの施設では複数箇所に設けられている。誘導装置２０は、例えば、ホテルの客室、廊下などの避難経路に沿って漏れなく複数個設置され、災害報知器１０と誘導装置２０はケーブル１１で接続されている。災害報知器１０は火災、地震などの災害が発生すると、災害発生を知らせる災害検知信号をケーブル１１を介して誘導装置２０に対して送出するよう構成されている。なお、誘導装置２０は非常口の位置や方向を示す非常灯に内蔵してもよい。
【００１１】
誘導装置２０の内部構成を図２に示す。誘導装置２０は記憶手段２２を有し、記憶手段２２には、施設の地図情報、誘導装置２０の位置情報、誘導装置２０の位置における避難経路情報などの画像ガイダンス（以下、避難情報とする）をあらかじめ記憶させておく。災害報知器１０からの災害検知信号を受信手段２１により受信すると、情報処理手段２３は記憶手段２２から避難情報を読み出し、送信手段２４から無線で送信する。
【００１２】
携帯端末４０の構成を図３に示す。携帯端末４０は、誘導装置２０から無線で送信された避難情報を受信する受信手段４１を有し、情報処理手段４２によって画像変換し、表示手段４３により画像ガイダンスを表示する。
【００１３】
次に上記避難誘導装置の動作について図４〜図６を用いて説明する。図４はある施設のフロアの一例を示し、誘導装置２０は施設の避難経路に沿って漏れなく複数設置する。この例では避難経路に沿って４つの誘導装置２０ａ、誘導装置２０ｂ、誘導装置２０ｃ、誘導装置２０ｄを設置している。誘導装置２０は、施設に設置されている非常灯に内蔵してもよい。図の４０ａ、４０ｂは避難している人が携帯している携帯端末を示している。
【００１４】
今、災害報知器１０ａから災害検知信号が送出されると、誘導装置２０ａ、２０ｂ、２０ｃ、２０ｄはそれぞれ、誘導装置２０ａ、２０ｂ、２０ｃ、２０ｄ内部の記憶手段２２から避難情報を送信する。携帯端末４０ａ、４０ｂはそれぞれ、一番近くにある誘導装置から送信された避難情報を受信し、この例の場合、携帯端末４０ａは誘導装置２０ｂの避難情報を、携帯端末４０ｂは誘導装置２０ｃの避難情報を受信する。
【００１５】
避難していく中で、図４の携帯端末４０ａ、４０ｂがそれぞれ図５に番号４００ａ、４００ｂで示した位置に移動した場合を説明する。携帯端末４００ａは一番近い誘導装置２０ａの避難情報を受信し、携帯端末４００ｂは一番近い誘導装置２０ｂの避難情報を受信する。したがって、携帯端末が避難中に移動した場合でも常に移動先に適した避難情報を受信可能であり、現在地を把握することができる。
【００１６】
図４の携帯端末４０ｂに表示された他の避難情報の表示例を図６に示す。表示１０１は施設の地図情報であり、施設の構成、階段や非常口、廊下などをグラフィカル表示する。表示１０２は現在、受信している誘導装置の位置を示し、図４の携帯端末４０ｂが誘導装置２０ｃの情報を受信していることを示している。このように一番近い誘導装置２０の位置を表示することで、自分の現在位置をおおよそ知ることができる。表示１０３は避難経路を示し、避難経路が複数ある場合は複数表示してもよい。
【００１７】
＜第２の実施の形態＞
本発明の避難誘導装置の第２の実施の形態に係る携帯端末の構成を図７に示す。この第２の実施の形態では、携帯端末４０に音声出力手段４４を付加している。誘導装置２０から画像ガイダンスに応じて避難誘導するための音声ガイダンスを携帯端末４０に送信するか、携帯端末４０側で避難情報を情報処理手段４２ｂで音声ガイダンスに変換し、音声出力手段４４から音声により出力する。避難情報の音声による出力例としては、「現在地３Ｆ北側、東に１０ｍ進んでください。」といった避難情報を音声出力手段４４より出力する。
【００１８】
＜第３の実施の形態＞
本発明の避難誘導装置の第３の実施の形態に係る携帯端末を図８に示す。この第３の実施の形態では、図７の受信手段をＴＤＭＡ方式、ＣＤＭＡ方式の携帯電話に付け加えている。携帯電話１１０に誘導装置２０からの避難情報を受信することのできる受信手段１１１を付加し、避難情報の表示手段として携帯電話１１０のディスプレイ１１３に表示し、また携帯電話１１０の音声出力手段１１２から出力することができるようにしたものである。
【００１９】
第３の実施の形態は、携帯端末４０がＴＤＭＡ方式、ＣＤＭＡ方式の携帯電話１１０である例を説明したが、同様の方法で携帯端末４０を構内ＰＨＳにすることができることは言うまでもない。
【００２０】
【発明の効果】
以上説明したように請求項１に記載の発明によれば、火災などで煙が充満した施設内で遠方にある非常灯の位置や方向を目視することが困難な場合、誘導装置から送信された画像ガイダンスを手元の携帯端末で表示することができるので、施設の地図、避難経路、現在の位置情報を手元で確認することができ、適切に避難することができる。また、初めて訪れた施設でも、地図情報、避難経路情報、位置情報を携帯端末により手元で確認することができ、適切に避難することができる。
請求項２に記載の発明によれば、手元の携帯端末の表示を見ることが困難な場合であっても、音声ガイダンスにより避難経路情報を聞くことができるので、適切に避難することができる。
請求項３に記載の発明によれば、外部に対し自分の安否を連絡する際、容易に連絡をとることができる。
【図面の簡単な説明】
【図１】本発明に係る避難誘導装置の第１の実施の形態の概略を示す構成図
【図２】図１の避難誘導装置の一部を詳しく示すブロック図
【図３】図１中の携帯端末を詳しく示すブロック図
【図４】図１の第１の実施の形態の動作を説明するための画像ガイダンスの例を示す説明図
【図５】図１の第１の実施の形態の動作を説明するための画像ガイダンスの表示例を示す説明図
【図６】図１の第１の実施の形態の動作を説明するための画像ガイダンスの例を示す説明図
【図７】本発明に係る避難誘導装置の第２の実施の形態の携帯端末の構成を詳しく示すブロック図
【図８】本発明に係る避難誘導装置の第３の実施の形態の携帯端末の構成図
【符号の説明】
１０、１０ａ  災害報知器
１１  ケーブル
２０、２０ａ、２０ｂ、２０ｃ、２０ｄ  誘導装置
２１  誘導装置の受信手段
２２  誘導装置の記憶手段
２３  誘導装置の情報処理手段
２４  誘導装置の送信手段
４０、４０ａ、４０ｂ、４００ａ、４００ｂ  携帯端末
４１  携帯端末の受信手段
４２、４２ｂ  携帯端末の情報処理手段
４３  携帯端末の表示手段
４４  音声出力手段
１０１、１０２、１０３  表示
１１０  携帯電話
１１１  受信手段
１１２  携帯電話の音声出力手段
１１３  携帯電話のディスプレイ
【図１】
2004252571.tif 000003
【図２】
2004252571.tif 000004
【図３】
2004252571.tif 000005
【図４】
2004252571.tif 000006
【図５】
2004252571.tif 000007
【図６】
2004252571.tif 000008
【図７】
2004252571.tif 000009
【図８】
2004252571.tif 000010